(57)【要約】      （修正有）【課題】髭を斜めにカットせず、かつ深ぞりをしないでもざらざら感がなく、しかも通常のカミソリと同じ使い方ができるカミソリ用使い捨てカートリッジを提供する。【解決手段】ひげ剃り用カミソリのカートリッジに、刃６の進行方向に対して直角でなく幅方向の左右どちらかの刃先が先行するよう刃を斜めに設けることで、カミソリを柄の方向に引いたとき、髭に対して斜めに力が働き、小さな力で髭を直角に切断することができるようにする。【選択図】図１
2006239355.tif 000002
【特許請求の範囲】
【請求項１】
刃が刃の進行方向に対し左右斜めに設けられたカミソリカートリッジ
【発明の詳細な説明】
【発明の詳細な説明】
【産業上の利用分野】
【０００１】  ひげ剃り用カミソリ
【背景技術】
【０００２】従来のカミソリ用のカートリッジの刃は進行方向（髭に当たる方向）に対し直角となる様水平に付いている。この為、刃で髭を切る場合図８のように押し切りしていた。このため髭は下に逃げ、斜めにかっとされていた。
比喩すれば、仮に牛蒡をまな板上で包丁に真上からのみの力で切ろうとすると大きな力が必要で、最初に刃が当たった部分は凹み、それから食い込み、包丁は横に逃げて、斜めに切れた断面には繊維がちぎれた部分がある、この様な切り口を押し切りと表現する。カミソリの場合、髭の下にまな板の様な受けるものがない為、皮膚から出た所から刃で押されて図４の様に曲がり髭は、図５の様に斜めにカットされる。この為に斜めにカットされた髭の先１４は肌１２から飛び出す為、相当深剃りしないと肌に触るとザラザラ、チカチカしていた。
しかし深剃りすると皮膚が髭により引き出され刃により傷つけられるので痛みを感じ、皮膚が荒れていた。特開２００３−６２３６７で柄と刃を斜めにするものあるがこの場合、柄に対して刃を斜め（カタカナの”イ”の形）にしてある為、柄を持った腕の角度と、動かす方向によっては、刃は髭に対して斜めに進入しないので本来の目的に対して効果がでない場合があった。又柄に対して刃が斜めなので柄の持ち方あるいは、腕の動かす方向によっては、刃の動きが肌に対し横に滑るようになることがあるので皮膚を切ることがあった。又、特開２００３−６２３６７は、柄と刃を”イ”の形に斜めに一体とすることで効果を期待した安全剃刀であった。
【発明が解決しょうとする課題】
【０００３】図５のように、髭を斜めにカットしないようにすること。深剃りをしないでも触ってもザラザラ、チカチカしないようにすること。現在使用中のカミソリと同じ使い方ができるカミソリであること。以上の様な目的に対して効果のあるカミソリであること。又、特開２００３−６２３６７は、柄と刃が”イ”の形に一体とされているので使い勝手が悪く、動かす方向によっては皮膚が切れていた。
【課題を解決するための手段】
【０００４】本発明は柄と刃のついたカートリッジは従来通り刃の進行方向に対し左右は直角”Ｔ”の形に連結するが、カートリッジに固定された刃６のみを刃の進行方向に対して左右斜めにすることで、柄の方向に引くことで刃６は髭１３に対して必ず斜めに力が働くので、小さな力で髭１３は図６のように直角に切断される。
このように本発明は替え刃として一つの商品として市場で形成されている、カートリッジのみで対応した。
【作用と実施例】
【０００５】詳細な説明を、図２に基づいて行う。カミソリ用カートリッジの側板左２と側板右３は肌当たり上４と肌当たり下５で固定されている。
側板左２と側板右３と刃先のなす角度７は直角ではなく、一方を９０度＋α、もう一方を９０度−αとすることで左右の固定位置をずらし刃６を刃６の進行方向１５に対し斜めにしている。以上により柄と刃６のついたカートリッジはジョイント部１で連結し従来通り直角であるが、刃６は斜めにカートリッジに固定されているので、柄の方向に引くことで刃６は髭１３に対して必ず斜めに力が働き、小さな力で髭１３は図６のように直角に切断されるので、従来のように髭１３が図５のように斜めにカットされ、カットされた斜めの部分１４が肌１２から飛び出し、ざらざら、チクチクしないので深剃りの必要がなくなった、深剃りをしなくてよくなったので肌荒れがなくなった。図２は刃６のみを側板２、側板３に対し左右を斜めにしているが、刃６の先にある肌当たり下５と肌当たり上４の刃６に接する線８と９と肌当たり下５の外の線１０は側板左２と側板右３に対し直角になされている。図３では、刃６の先にある肌当たり下５と肌当たり上４の刃６に接する線８と９と肌当たり下５の外の線１０は斜めになった刃６と平行になされているが、いずれでもよい。
【発明の効果】
【０００６】本発明は柄と刃の付いたカートリッジは従来通り直角に連結するがカートリッジに固定された刃６のみを進行方向に対し、側板２と側板３に斜めに固定してあるので柄を持って引くと、刃６は髭１３に対して図７のように、反力は矢１５，矢１６と分散され斜め方向に切り込んでいくので小さい力でカットされる。従来方式は図８の通り反力は矢１５のように一方向にのみ発生していた。髭では反力が小さく測定が難しいので人参を刃を水平にして切るのと、刃を斜めにして切るのとで確認すると下記の通り小さな力でカットできた。
2006239355.tif 000003
このように、本発明は図４、図５の様に髭をすくうように斜めにカットするのではなく、比喩すると、包丁で押さえて切るのではなく包丁を前後に引いてきるのと同じ働きとなり、髭は肌にそって図６、のごとく直角にカットされる。
この為従来の様に図４のごとく刃で髭が曲げられてカットされないので、髭が図５の様に斜めにカットされなくなった。従来は斜めにカットされていたので、斜にカットされた髭の先端１４，は肌から飛び出していた、飛びなさない様にする為に、強く肌１２にカートリッジを押さえて深剃りしていたが本発明は、斜めにカットされた先端１４、がないので強く押さえて深剃りの必要がないので皮膚を傷つけることがなくなった。特開２００３−６２３６７は、刃を柄に対し”イ”の形に斜めにした一体型である為、腕の動かす方向或いは柄の持ち方、或いは右利き、左利きによっては、刃は髭に斜めに当たらない場合と、刃が柄の持ち方、腕の方向によっては斜めが増長され刃を横に引く様な動きになり肌を切ることがあった。本発明はこの様な欠点を替え刃として一つの商品として市場を形成している、カートリッジに付けた刃のみを左右斜めする事で解決した。
【図面の簡単な説明】  図１，本発明の斜図
図２，本発明の正面図
図３，本発明の正面図
図４，刃６が髭１３に食い込んだ部分断面図
図５，従来方式でカットした肌１２と髭１３の部分断面図
図６，本発明ででカットした肌１２と髭１３の部分断面図
図７，本発明の刃６と髭１３のカット時の反力作用図
図８，従来方式の刃６と髭１３のカット時の反力作用図
【符号の説明】
１，柄との連結部
２，側板左
３，側板右
４，肌当たり上
５，肌当たり下
６，刃
７，側板と刃のなす角度
８．肌当たり上の刃に接する線
９．肌当たり下の刃に接する線
１０，肌当たり下の外の線
１１，髭の毛根
１２，肌
１３，髭
１４，斜めにカットされた髭の先
１５，反力を示す矢
１６，反力を示す矢
１７，刃の進行方向を示す矢印
【図１】
2006239355.tif 000004
【図２】
2006239355.tif 000005
【図３】
2006239355.tif 000006
【図４】
2006239355.tif 000007
【図５】
2006239355.tif 000008
【図６】
2006239355.tif 000009
【図７】
2006239355.tif 000010
【図８】
2006239355.tif 000011